(57)【要約】【課題】好適な表示を行うことのできる画像表示装置及びその制御方法を提供する。【解決手段】本発明の画像表示装置は、画像表示装置に対するユーザの位置を検知する検知手段と、画像表示装置の画面の中心位置から検知手段で検知されたユーザの位置までの距離Ｄ、及び、画面の中心位置とユーザの位置とを結ぶ線と、画面の中心位置を通る、画面に垂直な線との間の角度Θから、検知手段で検知されたユーザが画面を見た場合の該ユーザの所定の視野角の範囲が画面内に収まるか否かを判定する視野判定手段と、視野判定手段で所定の視野角の範囲が画面内に収まると判定された場合に、表示モードを第１表示モードに設定し、所定の視野角の範囲が画面内に収まらないと判定された場合に、表示モードを第２表示モードに設定する設定手段と、を有する。【選択図】図２
2013041014.tif 000002
【特許請求の範囲】
【請求項１】
第１画像を表示する第１表示モードと、
前記第１画像よりも強調された第２画像を表示する第２表示モードと、
のいずれかの表示モードで画像を表示する画像表示装置であって、
前記画像表示装置に対するユーザの位置を検知する検知手段と、
前記画像表示装置の画面の中心位置から前記検知手段で検知されたユーザの位置までの距離Ｄ、及び、前記画面の中心位置と前記ユーザの位置とを結ぶ線と、前記画面の中心位置を通る、前記画面に垂直な線との間の角度Θから、前記検知手段で検知されたユーザが画面を見た場合の該ユーザの所定の視野角の範囲が前記画面内に収まるか否かを判定する視野判定手段と、
前記視野判定手段で前記所定の視野角の範囲が画面内に収まると判定された場合に、表示モードを前記第１表示モードに設定し、前記所定の視野角の範囲が画面内に収まらないと判定された場合に、表示モードを前記第２表示モードに設定する設定手段と、
を有することを特徴とする画像表示装置。
【請求項２】
前記視野判定手段は、距離Ｄが閾値以下の場合に、前記所定の視野角の範囲が画面内に収まると判定し、距離Ｄが閾値より大きい場合に、前記所定の視野角の範囲が画面内に収まらないと判定し、
前記閾値は、角度Θが大きくなるほど小さくなる部分を有する関数を用いて決定されることを特徴とする請求項１に記載の画像表示装置。
【請求項３】
前記画面と平行な面において、前記検知手段で検知されたユーザが前記画面に対しどの方向にいるかを判定する方向判定手段を更に有し、
前記視野判定手段は、前記方向判定手段の判定結果に応じて、前記閾値の決定に用いる関数を切り替える
ことを特徴とする請求項２に記載の画像表示装置。
【請求項４】
前記方向判定手段は、前記検知手段で検知されたユーザが前記画面に対し所定の方向にいると判定した場合は、該ユーザを、前記検知手段で検知されたユーザから除外する
ことを特徴とする請求項３に記載の画像表示装置。
【請求項５】
前記方向判定手段は、前記画面と平行な面において、前記画面の中心位置を通る、前記画面に平行な１つの線である基準線と、前記画面の中心位置と前記検知手段で検知されたユーザの位置とを結ぶ線との間の角度Φから、前記検知手段で検知されたユーザが前記画面に対しどの方向にいるかを判定する
ことを特徴とする請求項３または４に記載の画像表示装置。
【請求項６】
入力された画像に強調処理を施すことにより前記第２画像を生成する画像処理手段を更に有し、
前記画像処理手段は、前記所定の視野角の範囲に含まれる前記画面以外の領域が多いときのほうが、少ないときよりも、前記強調処理の強調度合いを大きくする
ことを特徴とする請求項１〜５のいずれか１項に記載の画像表示装置。
【請求項７】
前記画像処理手段は、前記所定の視野角の範囲が画面内に収まっている状態から、収まっていない状態へ切り替わる際に、画素値が連続的に変化するように、前記所定の視野角の範囲に含まれる前記画面以外の領域の量に応じて、前記強調処理の強調度合いを変化させる
ことを特徴とする請求項６に記載の画像表示装置。
【請求項８】
前記画像表示装置は、同じ機能を有する他の画像表示装置と接続可能であり、
接続されている画像表示装置から、該画像表示装置で算出された距離Ｄと、該画像表示装置の表示モードとを含む情報を取得する取得手段を更に有し、
前記設定手段は、表示モードを、互いに接続されている複数の画像表示装置のうち、距離Ｄが最も小さいユーザを検知している画像表示装置の表示モードに設定する
ことを特徴とする請求項１〜７のいずれか１項に記載の画像表示装置。
【請求項９】
前記検知手段で複数のユーザが検知された場合に、前記視野判定手段は、距離Ｄが最も小さいユーザの前記所定の視野角の範囲が前記画面内に収まっているか否かを判定する
ことを特徴とする請求項１〜８のいずれか１項に記載の画像表示装置。
【請求項１０】
前記所定の視野角は１０度である
ことを特徴とする請求項１〜９のいずれか１項に記載の画像表示装置。
【請求項１１】
前記第２画像は、輪郭強調処理、高輝度化処理、及び、高彩度化処理の少なくともいずれかが施された画像である
ことを特徴とする請求項１〜１０のいずれか１項に記載の画像表示装置。
【請求項１２】
前記第１画像は、ユーザの目の色順応が考慮された画像であり、
前記第２画像は、ユーザに感知され易い画像である
ことを特徴とする請求項１〜１１のいずれか１項に記載の画像表示装置。
【請求項１３】
第１画像を表示する第１表示モードと、
前記第１画像よりも強調された第２画像を表示する第２表示モードと、
のいずれかの表示モードで画像を表示する画像表示装置の制御方法であって、
前記画像表示装置に対するユーザの位置を検知する検知ステップと、
前記画像表示装置の画面の中心位置から前記検知ステップで検知されたユーザの位置までの距離Ｄ、及び、前記画面の中心位置と前記ユーザの位置とを結ぶ線と、前記画面の中心位置を通る、前記画面に垂直な線との間の角度Θから、前記検知ステップで検知されたユーザが画面を見た場合の該ユーザの所定の視野角の範囲が前記画面内に収まるか否かを判定する視野判定ステップと、
前記視野判定ステップで前記所定の視野角の範囲が画面内に収まると判定された場合に、表示モードを前記第１表示モードに設定し、前記所定の視野角の範囲が画面内に収まらないと判定された場合に、表示モードを前記第２表示モードに設定する設定ステップと、を有することを特徴とする画像表示装置の制御方法。
【発明の詳細な説明】
【技術分野】
【０００１】
本発明は、画像表示装置及びその制御方法に関する。
【背景技術】
【０００２】
近年、高精細、高色域、広視野角の液晶パネルを搭載した画像表示装置が開発されている。その一例が、デジタルフォトフレームである。現在、家庭用のデジタルフォトフレームが普及しつつある。しかし、通信機能などの付加機能の追加や低価格化が進んでいることから、今後、デジタルフォトフレーム（画像表示装置）の用途が広がる可能性がある。例えば、商店での商品の宣伝など、商業的な用途で画像表示装置が使用される可能性がある。
【０００３】
ところで、カラーアピアランスモデル（ＣＩＥＣＡＭ０２など）を用いたカラーマッチングでは、人間の目の色順応を考慮した補正を行うことにより、より正確なカラーマッチングを行なうことができる。このようなカラーマッチングにより、画像表示装置で、実物と見間違うほどの商品の画像を表示することが可能となる。そのため、画像表示装置の使い方として、商品の画像が表示された画像表示装置を、商店のショーケースに商品と並べて設置する使い方が好ましい。
【０００４】
特許文献１には、カラーアピアランスモデルを用いたカラーマッチング技術が開示されている。具体的には、観察情報である順応領域の白色点の相対三刺激値Ｘｗ，Ｙｗ，Ｚｗを精度良く求めることで、カラーマッチングの精度を高める方法が開示されている。
特許文献２には、カラーアピアランスモデルを用いることにより、写真や絵画に代えて静止画像を表示する場合において、低照度照明下でも、表示画面のみが過度に目立つことを改善し、周囲の雰囲気と調和させる画像表示方法が開示されている。以下、この様な画像表示（画像表示装置の周囲の雰囲気と調和した画像の表示）を、忠実再現表示と呼ぶ。
特許文献２に開示の技術では、忠実再現表示を行う場合、視聴者の視野範囲の観察情報が必要となる。
【０００５】
図２２は、人間の視野範囲の分類を示す模式図である。視野範囲（視野の領域）は、刺激領域（ｓｔｉｍｕｌｕｓ）９０１、隣接領域（Ｐｒｏｘｉｍａｌ  Ｆｉｅｌｄ）９０２、背景領域（Ｂａｃｋｂｒｏｕｎｄ）９０３、周囲領域（Ｓｕｒｒｏｕｎｄ）９０４から構成される。刺激領域９０１は、人間の視野で視野角２度の領域である。カラーアピアランスモデルでは、刺激領域９０１に対象物（色票）が与えられたときに、人間による見えを正しく予測できる。隣接領域９０２は、人間の視野で視野角２度から４度の領域である。背景領域９０３は、人間の視野で視野角２度から１０度の領域である（以下、この領域を１０度視野と呼ぶ）。周囲領域９０４は、背景領域９０３の外で、視野が及ぶ領域である。また、刺激領域９０１、隣接領域９０２、背景領域９０３、及び、周囲領域９０４を合わせた領域を順応領域９００と呼ぶ。
【０００６】
カラーアピアランスモデルに基づく観察情報には、下記の情報がある。
・順応領域９００の平均輝度（ｃｄ／ｍ２）：ＬＡ
・順応領域９００の白色点の相対三刺激値：Ｘｗ，Ｙｗ，Ｚｗ
・刺激領域９０１の相対三刺激値：Ｘ，Ｙ，Ｚ
・背景領域９０３の相対輝度：Ｙｂ
・周囲条件：Ａｖｅｒａｇｅ／Ｄｉｍ／Ｄａｒｋ
周囲条件は、周囲領域９０４における輝度が、順応領域９００における白色点の輝度の２０％以上の場合にＡｖｅｒａｇｅ、２０％未満の場合にＤｉｍ、ほぼ０％の場合にＤａｒ
ｋとなる。
上記観察情報は、視聴者の視野範囲に対する画像表示装置の画面の領域の割合が小さい場合は、画像表示装置の外の環境との依存性が高くなる。この場合において、正確に忠実再現表示を行うには、画像表示装置の外の環境から観察情報を算出する必要がある。
一方、上記観察情報は、視聴者の視野範囲に対する画像表示装置の画面の領域の割合が大きい場合は、画像表示装置の表示内容や表示デバイス特性との依存性が高くなる。つまり、Ｘｗ，Ｙｗ，Ｚｗは、画像表示装置の表示デバイスの白色点の値に近似できる。また、通常、順応領域９００や背景領域９０３における白色点の輝度の２０％がＬＡやＹｂに設定される。そのため、ＬＡやＹｂは、視野範囲に対する画像表示装置の画面の領域の割合が十分に大きい場合は、表示デバイス特性から求まる。もちろん、Ｘ，Ｙ，Ｚも画像表示装置の表示内容から求まる。つまり、言い換えれば、この場合の観察情報は、画像表示装置の情報のみから容易に算出できる。
【０００７】
ところで、ショーケース内の商品は、一般的に、離れている人間には認知しづらいため、なんらかのアピール展示をされることが多い（周囲と異なる照明を併設して商品を明るく見せる、など）。そのため、人間（客）がショーケースの十分近くにいる場合は、商店のショーケースに商品と並べて設置した画像表示装置で忠実再現表示を行い、人間が商品の質感などを確認できるようにすることが望ましい。一方、人間がショーケースから離れた場所におり、ショーケース内の商品に気づかない場合は、画像表示装置で何らかのアピールができる表示（アピール表示）を行うことが望ましい。
特許文献３には、画像表示装置と視聴者の間の距離から、視聴者の表示画面に対する水平画角を算出し、その算出結果に基づき、画面の表示輝度を制御する方法が記載されている。
【先行技術文献】
【特許文献】
【０００８】
【特許文献１】特開２００７−７４５５７号公報
【特許文献２】特開２００５−３００６３９号公報
【特許文献３】特開２０１０−２６０４５号公報
【発明の概要】
【発明が解決しようとする課題】
【０００９】
上述したように画像表示装置をショーケース内に設置するような場合には、視聴者は様々な位置から画像を視聴することが考えられる。しかしながら、特許文献３の技術では視聴者の表示画面に対する水平画角のみから画面の表示が制御されるため、忠実再現表示を行うのに好適な位置に立っているか、アピール表示を行うのに好適な位置に立っているかの判断ができない。そのため、特許文献３の技術を用いたとしても、好適な表示を行うことができないことがある。
【００１０】
本発明は、好適な表示を行うことのできる画像表示装置及びその制御方法を提供することを目的とする。
【課題を解決するための手段】
【００１１】
本発明の画像表示装置は、
第１画像を表示する第１表示モードと、
前記第１画像よりも強調された第２画像を表示する第２表示モードと、
のいずれかの表示モードで画像を表示する画像表示装置であって、
前記画像表示装置に対するユーザの位置を検知する検知手段と、
前記画像表示装置の画面の中心位置から前記検知手段で検知されたユーザの位置までの距離Ｄ、及び、前記画面の中心位置と前記ユーザの位置とを結ぶ線と、前記画面の中心位
置を通る、前記画面に垂直な線との間の角度Θから、前記検知手段で検知されたユーザが画面を見た場合の該ユーザの所定の視野角の範囲が前記画面内に収まるか否かを判定する視野判定手段と、
前記視野判定手段で前記所定の視野角の範囲が画面内に収まると判定された場合に、表示モードを前記第１表示モードに設定し、前記所定の視野角の範囲が画面内に収まらないと判定された場合に、表示モードを前記第２表示モードに設定する設定手段と、
を有することを特徴とする。
【００１２】
本発明の画像表示装置の制御方法は、
第１画像を表示する第１表示モードと、
前記第１画像よりも強調された第２画像を表示する第２表示モードと、
のいずれかの表示モードで画像を表示する画像表示装置の制御方法であって、
前記画像表示装置に対するユーザの位置を検知する検知ステップと、
前記画像表示装置の画面の中心位置から前記検知ステップで検知されたユーザの位置までの距離Ｄ、及び、前記画面の中心位置と前記ユーザの位置とを結ぶ線と、前記画面の中心位置を通る、前記画面に垂直な線との間の角度Θから、前記検知ステップで検知されたユーザが画面を見た場合の該ユーザの所定の視野角の範囲が前記画面内に収まるか否かを判定する視野判定ステップと、
前記視野判定ステップで前記所定の視野角の範囲が画面内に収まると判定された場合に、表示モードを前記第１表示モードに設定し、前記所定の視野角の範囲が画面内に収まらないと判定された場合に、表示モードを前記第２表示モードに設定する設定ステップと、を有することを特徴とする。
【発明の効果】
【００１３】
本発明によれば、好適な表示を行うことができる。
【図面の簡単な説明】
【００１４】
【図１】実施例１に係る画像表示装置の用途の一例
【図２】実施例１，３に係る画像表示装置の構成図
【図３】距離Ｄ、角度Θ、角度Φの一例
【図４】画像処理部の構成図
【図５】忠実再現処理部の構成図
【図６】アピール処理部の構成図
【図７】画面の表示輝度の一例
【図８】閾値Ｄｔｈの決定方法を説明する図
【図９】閾値Ｄｔｈの決定方法を説明する図
【図１０】距離Ｄ、角度Θ、表示モードの関係を示す図
【図１１】閾値Ｄｔｈの決定方法を説明する図
【図１２】距離Ｄ、角度Θ、表示モードの関係を示す図
【図１３】判断式の設定処理のフローを示すフローチャート
【図１４】実施例１に係る表示モード切り替え処理のフローを示すフローチャート
【図１５】視聴者の位置と、選択される判断式及び有効範囲との関係を示す図
【図１６】実施例２に係る画像表示装置の用途の一例
【図１７】実施例２に係る画像表示システムの構成図
【図１８】実施例２に係る画像表示装置の構成図
【図１９】実施例２に係る表示モード切り替え処理のフローを示すフローチャート
【図２０】実施例３に係る画像表示装置の用途の一例
【図２１】実施例３に係る表示モード切り替え処理のフローを示すフローチャート
【図２２】人間の視野範囲の分類を示す模式図
【発明を実施するための形態】
【００１５】
以下、本発明の実施例に係る画像表示装置及びその制御方法について説明する。
本実施例に係る画像表示装置は、例えば、デジタルフォトフレームやカラーマネージメントディスプレイ装置などである。以下、本実施例に係る画像表示装置が液晶表示装置である場合の例を説明する。但し、本実施例に係る画像表示装置は、液晶表示装置に限らない。本実施例に係る画像表示装置は、プラズマ表示装置、有機ＥＬ表示装置などであってもよい。
また、本実施例に係る画像表示装置は、第１画像を表示する第１表示モードと、第１画像よりも強調された第２画像を表示する第２表示モードのいずれかの表示モードで画像を表示する。第１画像は、人間の目の色順応が考慮された画像であり、第２画像は、人間に感知されやすい画像である。
【００１６】
（実施例１）
図１は、実施例１に係る画像表示装置１００の用途の一例を示す。図１の例では、画像表示装置１００は、ショーケースの中に商品と並べて設置されており、実物の代替として商品の画像を表示する。
図２は、実施例１に係る画像表示装置１００の構成図である。
画像表示装置１００は、画像Ｉ／Ｆ部１０２、カードＩ／Ｆ部１０３、ネットワークＩ／Ｆ部１０４、デコード部１０５、切替部１０６、画像処理部１０７、出力部１０８、メモリ部１０９、制御部１１０、表示モード切替判定部１１１、位置認識センサ１１２、視環境センサ１１３、及び、リモコン受信部１１４を備える。各機能部は、内部バス１０１によって互いに接続されており、相互にデータを送受信することができる。また、各機能部は、制御部１１０によって制御される。
【００１７】
画像Ｉ／Ｆ部１０２は、外部から画像データを入力する。画像データは、例えば、商品を撮影することにより得られた静止画像データなどである。具体的には、画像Ｉ／Ｆ部１０２は、ＤＶＩ，Ｄｉｓｐｌａｙｐｏｒｔ，ＨＤＭＩ，ＳＤＩなどのストリーム形式の画像データを入力するＩ／Ｆである。画像Ｉ／Ｆ部１０２は、入力した画像データの形式を、ストリーム形式から内部で処理するための信号形式に変換し、該信号形式の画像データを後段の切替部１０６へ出力する。
【００１８】
カードＩ／Ｆ部１０３は、記憶媒体（メモリカード）に記憶されたファイル形式の画像データを読み出し、後段のデコード部１０５へ出力する。また、メモリカード内に、後述の忠実再現処理に使用するＬＵＴ（Ｌｏｏｋ−ｕｐ  Ｔａｂｌｅ）が記憶されている場合には、該ＬＵＴを読み出し、メモリ部１０９に保存する。メモリカードは、具体的には、ＳＤカードやＣＦカードである。
なお、記憶媒体は、メモリカードに限らない。記憶媒体は、ＣＤ、ＤＶＤ、ＢＤなどの光ディスク、ハードディスクなどの磁気ディスクなどであってもよい。
なお、記憶媒体は、画像表示装置１００に固定されていてもよいし、画像表示装置１００から取り外し可能であってもよい。
【００１９】
ネットワークＩ／Ｆ部１０４は、外部から画像データを入力する。ネットワークＩ／Ｆ部１０４は、ストリーム形式及びファイル形式の画像データを入力する。そして、ネットワークＩ／Ｆ部１０４は、入力した画像データが、デコードが必要な画像データである場合に、該画像データを後段のデコード部１０５に出力する。また、ネットワークＩ／Ｆ部１０４は、入力した画像データが、デコードが不要な画像データである場合に、該画像データを切替部１０６へ出力する。また、ネットワークＩ／Ｆ部１０４は、制御信号を受信し、後述の制御部１１０へ出力する。ネットワークＩ／Ｆは、具体的には、画像表示装置１００をＬＡＮに接続するためのインタフェースである。
【００２０】
なお、画像Ｉ／Ｆ部１０２、カードＩ／Ｆ部１０３、及び、ネットワークＩ／Ｆ部１０４が入力する画像データは、例えば、所定の撮影条件で撮影を行うことにより得られたデータである。具体的には、画像データは、特許文献２で言及されている「観賞画像参照データ」と同等のものであり、当該画像データは、特定の出力装置（ここでいう画像表示装置１００）に対して適切にレンダリングされている。画像表示装置１００は、後述の忠実再現処理の中でカラーアピアランス変換を行う際に、上記撮影条件から得られる観察情報を用いる。
観察情報は、下記の情報を含む。
・順応領域（視野が及ぶ領域）の平均輝度（ｃｄ／ｍ２）：ＬＡ
・順応領域の白色点の相対三刺激値：Ｘｗ，Ｙｗ，Ｚｗ
・刺激領域（人間の視野で視野角２度の領域）の相対三刺激値：Ｘ，Ｙ，Ｚ
・背景領域（人間の視野で視野角２度から１０度の領域）の相対輝度：Ｙｂ
・周囲条件：Ａｖｅｒａｇｅ／Ｄｉｍ／Ｄａｒｋ
【００２１】
デコード部１０５は、カードＩ／Ｆ部１０３から入力された画像データ（カードＩ／Ｆ部１０３を介してメモリカードから読み出された画像データ；符号化された画像データ）をデコードする。また、デコード部１０５は、ネットワークＩ／Ｆ部１０４を介して入力された画像データをデコードする。符号化されたデータとは、静止画像データであれば、Ｊｐｅｇ形式のデータなどである。デコードした画像データは、後段の切替部１０６へ出力される。
【００２２】
切替部１０６は、制御部１１０の指示に基づいて、画像Ｉ／Ｆ部１０２からの画像データ、ネットワークＩ／Ｆ部１０４からの画像データ、及び、デコード部１０５からの画像データの内の１つを選択し、後段の画像処理部１０７へ出力する。
【００２３】
画像処理部１０７は、切替部１０６より出力された画像データに対して、画像処理を施す。画像処理部１０７の中には、忠実再現処理部とアピール処理部がある。忠実再現処理部では、カラーアピアランス変換処理を含む色域補正が行われる。詳細は後述する。画像処理部１０７は、画像処理を画像データに施した後、該画像処理が施された画像データを出力部１０８へ出力する。
【００２４】
出力部１０８は、画像処理部１０７によって画像処理が施された画像データに基づく画像を、不図示の表示パネルで表示する。表示パネルは液晶パネルとバックライトから成る。バックライトは、白色のＬＥＤ、もしくは、ＲＧＢの３色のＬＥＤと、種々の光学フィルタから成る。バックライトの光源は、ＬＥＤではなく蛍光管であってもよい。
【００２５】
メモリ部１０９は、制御部１１０上で動作する制御プログラム、画像処理パラメータのＬＵＴなどを記憶する。本実施例では、ＬＵＴは後述のＩＣＣプロファイルを含む。なお、メモリ部１０９は、ＬＵＴを複数記憶できる容量を有する。そのため、メモリ部１０９は、忠実再現処理用のＬＵＴを複数記憶できる。また、メモリカード内に記憶されたＬＵＴを、メモリ部１０９に追加することができる。メモリ部１０９は、不揮発型の記憶媒体であり、例えば、半導体メモリである。なお、メモリ部１０９は、半導体メモリに限らない。メモリ部１０９は、ハードディスクなどの磁気ディスクなどであってもよい。
【００２６】
制御部１１０は、メモリ部１０９に保存されている制御プログラムを実行する。また、制御部１１０は、後述の位置認識センサ１１２から人間（視聴者）の位置情報を、視環境センサ１１３から画像表示装置１００周辺の輝度及び色温度の情報を、リモコン受信部１１４から制御信号を受信する。そして、制御部１１０は、実行した制御プログラム、受信した視聴者の位置情報、画像表示装置１００周辺の輝度及び色温度の情報、及び、制御信号に基づき、各構成部に指示を出す。
例えば、制御部１１０は、切替部１０６へ、選択する画像データを切り替える指示を出す。
また、制御部１１０は、画像処理部１０７へ、実行する画像処理を切り替える指示を出す。具体的には、制御部１１０は、内部に表示モード切替判定部１１１を有する。表示モードは、後述の忠実再現表示モード（第１表示モード）とアピール表示モード（第２表示モード）の２つの表示モードを含む。表示モード切替判定部１１１は、位置認識センサ１１２や視環境センサ１１３から入力される情報に基づいて、２つのモードのいずれかを選択し、選択したモードに応じた画像処理を実行するよう画像処理部１０７へ指示する。忠実再現表示モードは、実物の色や質感が再現された表示（人間の目の色順応が考慮された表示；忠実再現表示）を行うモードである。アピール表示モードは、画像が表示されていること（商品の存在）を人間（視聴者）にアピールするモードであり、人間に感知されやすい表示（アピール表示）を行うモードである。
【００２７】
位置認識センサ１１２は、例えば、複数の赤外線センサ、ＣＣＤセンサまたはＣＭＯＳセンサを用いた画像認識部などから構成される。位置認識センサ１１２は、人間（具体的には、画像表示装置に対するユーザの位置）を検知する。そして、位置認識センサ１１２は、距離Ｄ、角度Θ、及び角度Φを算出する（位置算出）。距離Ｄは、画像表示装置１００の画面の中心位置から検知された人間の位置までの距離である。角度Θは、画面の中心位置と人間の位置とを結ぶ線と、画面の中心位置を通る、画面に垂直な線との間の角度である。角度Φは、画面と平行な面において、画面の中心位置を通る、画面に平行な１つの線である基準線と、画面の中心位置と検知された人間の位置とを結ぶ線との間の角度である。本実施例では、画面が長軸と短軸を有する矩形形状を有するものとし、画面の短軸方向に平行な線を基準線とする。図３（Ａ），３（Ｂ）に、距離Ｄ、角度Θ、角度Φの一例を示す。
視環境センサ１１３は、画像表示装置１００周辺（外部）の輝度及び色温度を検知し、その情報を制御部１１０に通知する。具体的には、視環境センサ１１３は、周期的に画像表示装置１００周辺の輝度及び色温度を検知し、その情報として、ＲＧＢ各色の色情報を生成し、制御部１１０に通知する。
【００２８】
リモコン受信部１１４は、画像表示装置１００とは別体のリモコンからの制御信号を受信し、該信号によって表される情報（ユーザ操作を表す情報）を制御部１１０に通知する。リモコンからの制御信号の伝送には、赤外線やＢｒｕｅｔｏｏｔｈなどが使用される。制御情報は、例えば、電源のオン／オフ、画像データの入力切り替え（表示する画像の切り替え）、前述のＬＵＴの切り替え、新たなＬＵＴのメモリ部１０９への保存、メモリ部１０９に保存されているＬＵＴの書き換え等を表す情報である。制御情報（ユーザ操作）に応じて、画像表示装置１００またはリモコンの表示部にＧＵＩ（Ｇｒａｐｈｉｃａｌ  Ｕｓｅｒ  Ｉｎｔｅｒｆａｃｅ）画像が表示されてもよい。例えば、制御情報がメモリ部１０９に保存されているＬＵＴをユーザが手動で書き換える操作を表す情報であった場合に、画像表示装置１００またはリモコンの表示部に、ＬＵＴを書き換えるためのＧＵＩ画像が表示されてもよい。
なお、リモコンの形態はどのようなものであってもよい。例えば、リモコンは、押しボタン式のものであってもよいし、タッチパネル方式のものであってもよい。また、制御信号は、リモコンではなく画像表示装置１００本体に付随するボタンを押下することで発生されてもよい。
【００２９】
図４は、画像処理部１０７を詳細に示した構成図である。画像処理部１０７は、忠実再現処理部１１５、アピール処理部１１６及びスイッチ１１７を備える。スイッチ１１７は、忠実再現処理部１１５からの出力と、アピール処理部１１６からの出力を切り替えて、後段の出力部１０８へ出力する。スイッチ１１７は、制御部１１０の切替指示によって切り替わる。図４の例では、表示モードが忠実再現表示モードの場合に、スイッチ１１７は
、忠実再現処理部１１５からの出力を選択し、出力部１０８へ出力する。表示モードがアピール表示モードの場合に、スイッチ１１７は、アピール処理部１１６からの出力を選択し、出力部１０８へ出力する。
【００３０】
ここで忠実再現処理部１１５の処理（忠実再現処理）について説明する。忠実再現処理は、入力された画像データから、第１画像のデータを生成する処理（入力された画像データを第１画像のデータに変換する処理）である。第１画像のデータは、現在の照明条件下で、画面輝度が過度に目立つことが改善され、周囲の状況と調和した画像データであり、商品の実際の色や質感を忠実に表現した画像データである。具体的には、忠実再現処理は、カラーアピアランス変換処理を行うことで実現される処理であり、特許文献２に記載されている処理と同等の処理である。
【００３１】
図５は、忠実再現処理部１１５の構成の一例を示す図である。
忠実再現処理部１１５は、データ作成部１１８、順変換部１１９、逆変換部１２０、及びデータ作成部１２１を備える。更に、忠実再現処理部１１５は、画像データを処理するために、入力プロファイル１２２、観察情報１２３、観察情報１２４、及び、出力プロファイル１２５を使用する。これらの情報はメモリ部１０９の中に保存されている。
【００３２】
データ作成部１１８は、入力プロファイル１２２をメモリ部１０９から読み込み、画像データのＲＧＢ値を、デバイス非依存のＸＹＺ値へ変換する。入力プロファイル１２２は、入力デバイスに依存するデバイスプロファイルである。入力プロファイル１２２としては、例えばＩＣＣプロファイルが知られている。撮影条件が同一である限り、入力プロファイル１２２は固定値でよい。なお、本実施例では、入力プロファイル１２２は、ＬＵＴとして、メモリ部１０９に保存されている。
【００３３】
順変換部１１９は、観察情報１２３をメモリ部１０９から読み込み、画像データのＸＹＺ値を、カラーアピアランス空間であるＪｃｈ値へ変換する。具体的には、この変換処理は、特許文献１で紹介されているように、観察情報１２３を用いて、色順応処理、錐体応答処理、心理値変換処理の一連の処理を行うことにより実現される。
【００３４】
逆変換部１２０は、観察情報１２４をメモリ部１０９から読み込み、画像データのＪｃｈ値をＸＹＺ値へ変換する。具体的には、この変換処理は、特許文献１で紹介されているように、観察情報１２４を用いて、色順応処理、錐体応答処理、心理値変換処理の逆変換処理を行うことにより実現される。
【００３５】
データ作成部１２１は、出力プロファイル１２５をメモリ部１０９から読み込み、画像データのＸＹＺ値をＲＧＢ値へ変換する。出力プロファイル１２５は、画像表示装置１００の表示デバイスに依存するデバイスプロファイルである。出力プロファイル１２５としては、例えばＩＣＣプロファイルが知られている。出力プロファイル１２５は固定値でよい。なお、本実施例では、出力プロファイル１２５は、ＬＵＴとして、メモリ部１０９に保存されている。
【００３６】
なお、観察情報は、一般的に以下のように求める。
・ＬＡ：順応領域の白色輝度の２０％を用いる（ｃｄ／ｍ２）。
・Ｘｗ，Ｙｗ，Ｚｗ：画像表示装置１００の表示画面の白色の三刺激値を用いる（ｃｄ／ｍ２）。
・Ｙｂ：背景領域の白色輝度の２０％を用いる（ｃｄ／ｍ２）。
・周囲条件：周囲領域９０４における輝度が、順応領域における白色点の輝度の２０％以上の場合にＡｖｅｒａｇｅ、２０％未満の場合にＤｉｍ、ほぼ０％の場合にＤａｒｋとする。
【００３７】
上記観察情報は、制御部１１０により、視環境センサ１１３から取得された周囲の輝度及び色温度の情報を用いて決定され、メモリ部１０９へ保存される。それにより、周囲の輝度及び色温度の情報が、観察情報に反映されるため、例えば、暗い照明条件下で、画面輝度が過度に目立つことを抑制し、表示する画像を周囲の状況と調和させることができる。
ところで、本実施例では、ＬＡとして「順応領域の白色輝度の２０％を用いる」ものとしている。ここで、人間（視聴者）の位置が画像表示装置１００に十分近い場合、ＬＡは、ある周囲の輝度及び色温度の条件下で一意に決まる画像表示装置１００の表示画面の輝度と近似することができる。言い換えれば、人間の視野範囲である順応領域に対する画像表示装置の画面の領域の割合が大きい場合、ＬＡは、ある周囲の輝度及び色温度の条件下で一意に決まる画像表示装置１００の表示画面の輝度と近似することができる。このような近似を行えば、高精度に忠実再現処理を行うことができる。
そのため、ショーケース展示のケース（ショーケース内に商品の代わりに商品の画像を表示した表示装置を設置するケース）において、視聴者の順応領域に対する画像表示装置の画面の領域の割合が大きいことが望ましい。
視聴者の視野範囲を規定する値として、１０度視野がある。本実施例では、忠実再現処理された画像を視聴者に見せる際の、最適な視野範囲を１０度視野（視野角１０度の範囲）とする。
【００３８】
次に、アピール処理部１１６の処理（アピール処理）について説明する。アピール処理は、入力された画像データから第２画像のデータを生成する処理（入力された画像データを第２画像のデータに変換する処理）である。第２画像のデータは、第１画像のデータに比べてより強調された画像（輪郭が強調された画像、輝度や彩度が高められた画像）のデータであり、画像表示装置１００から離れた人が適度に表示内容を認知できる画像のデータある。具体的には、アピール処理は、輪郭強調処理、高輝度化処理、高彩度化処理などの強調処理である。
【００３９】
図６は、アピール処理部１１６の構成の一例を示す図である。
アピール処理部１１６は、輪郭強調部１２６、色調整部１２７、輝度調整部１２８を備える。
輪郭強調部１２７は、入力した画像データ内の画像輪郭を強調する。
色調整部１２７は、入力した画像データに対して、所定のオフセット分彩度を上げる。
輝度調整部１２８は、入力した画像データに対して、所定のオフセット分輝度を上げる。
【００４０】
図７は、画面の表示輝度の一例を示す図である。図７は、人間（視聴者）が画面の正面にいる場合（Θ＝０度の位置に人間がいる場合）の、距離Ｄに対する表示輝度の変化を示す。
詳細は後述するが、本実施例では、制御部１１０が、検知された人間が画面を見た場合の該人間の所定の視野角の範囲が画面内に収まるか否かを判定する（視野判定）。そして、制御部１１０は、所定の視野角の範囲が画面内に収まると判定した場合に、表示モードを第１表示モードに設定し、所定の視野角の範囲が画面内に収まらないと判定した場合に、表示モードを第２表示モードに設定する。なお、上述したように、忠実再現処理された画像を視聴者に見せる際の最適な視野範囲は１０度視野であるため、本実施例では、上記所定の視野角を１０度とする。但し、所定の視野角は１０度に限らない。所定の視野角は２度、４度、８度、１４度、１５度などであってもよい。
具体的には、制御部１１０は、距離Ｄが閾値以下（Ｄｔｈ以下）の場合に、所定の視野角の範囲が画面内に収まると判定し、距離Ｄが閾値Ｄｔｈより大きいの場合に、所定の視野角の範囲が画面内に収まらないと判定する。
【００４１】
従って、距離Ｄが閾値Ｄｔｈより大きい場合には、アピール処理が施された画像が表示される。図７において、Ｄ＞Ｄｔｈのときに、Ｄ≦Ｄｔｈのときよりも表示輝度が大きいのはこのため（輝度調整部１２８により輝度が高められているため）である。
なお、本実施例では、アピール処理部１１６は、所定の視野角の範囲に含まれる画面以外の領域が多いときのほうが、少ないときよりも強調処理の強調度合いを大きくする。例えば、図７に示すように、距離Ｄが閾値Ｄｔｈより大きいほど、輝度が高められる（表示輝度が高くされる）。
また、本実施例では、アピール処理部１１６は、所定の視野角の範囲が画面内に収まっている状態から、収まっていない状態へ切り替わる際に、画素値が連続的に変化するように、強調処理の強調度合いを変化させる。具体的には、所定の視野角の範囲に含まれる画面以外の量に応じて、強調処理の強調度合いが変化される。例えば、図７に示すように、Ｄ≦Ｄｔｈの関数とＤ＞Ｄｔｈの関数とがＤ＝Ｄｔｈにおいて繋がるように、輝度調整部１２８の処理が行われる。換言すれば、Ｄ＝Ｄｔｈにおいて、忠実再現処理の結果（忠実再現処理後の輝度）とアピール処理の結果（アピール処理後の輝度）とが同じとなるように輝度調整部１２８の処理が行われる。
これにより、視聴者が画像表示装置１００から距離Ｄｔｈ付近にいるときに、表示画像の画素値の急激な変化を防止することができる。また、視聴者が画像表示装置１００から離れるほどより強調された画像が表示されるため、視聴者に画像の表示をより強くアピールすることができる。
なお、図７のアピール処理は、一例であり、これに限定されるものでない。また、画像処理部１０７は、忠実再現処理部１１５やアピール処理部１１６以外にも、一般的な画像処理であるＩＰ変換、拡大縮小、ノイズ除去、コントラスト補正、γ補正などを行う処理部を更に備えていてもよい。
【００４２】
次に、閾値Ｄｔｈの決定方法について説明する。
図８（Ａ）は、視聴者と画像表示装置１００を、画像表示装置１００の側面側から見た図である。図８（Ｂ）は、図（（Ａ）の視聴者と画像表示装置１００を、視聴者の背後から見た図である。
図８（Ａ），８（Ｂ）の例では、画像表示装置１００は、視聴者の方向に画面が向くように設置されている（視聴者が画像表示装置１００の画面の正面にいる）。即ち、図８（Ａ），８（Ｂ）の例では、角度Θ＝０度の位置に視聴者がいる。また、画像表示装置１００の表示画面は、長軸方向のサイズがＬ１、短軸方向のサイズがＬ２の矩形状を有している。画像表示装置１００は、視聴者に対して、画面の短軸方向が垂直方向となるように設置されている（視聴者は、画面を見た場合に画面の短軸方向が垂直方向となる位置にいる）。
図８（Ｂ）で、画像表示装置１００に示されている円形の領域は、視聴者が画面を見た場合の１０度視野の領域（１０度視野領域）である。図８（Ｂ）の例では、１０度視野領域は、画像表示装置１００の表示画面内に収まっている。また、１０度視野領域の縁と、画像表示装置１００の表示画面の縁（画面の上辺及び下辺）とが一致している。視聴者が図８（Ｂ）の位置よりも画像表示装置１００に近づくと、１０度視野領域は表示画面内に収まらなくなるため、図８（Ｂ）のときの視聴者と画像表示装置１００の距離Ｄｘが、閾値Ｄｔｈとなる。視聴者が画面の短軸方向が垂直方向となる位置にいる場合、距離Ｄｘは、所定の視野角（１０度）と、表示画面の短軸方向のサイズＬ２によって一意に決まる。
【００４３】
ところで、ショーケース展示の場合、画像表示装置１００は、視聴者に対して、常に正面を向くとは限らない。図９（Ａ）は、視聴者と画像表示装置１００を、画像表示装置１００の側面側から見た図である。図９（Ｂ）は、図９（Ａ）の視聴者と画像表示装置１００を、視聴者の背後から見た図である。
図９（Ａ），９（Ｂ）の例では、画像表示装置１００は、視聴者の上に画面が向くよう
に設置されている。即ち、図９（Ａ），９（Ｂ）の例では、角度Θ＝Θｘ（０＜Θｘ≦９０°）の位置に視聴者がいる。また、図９（Ａ），９（Ｂ）の例では、画像表示装置１００は、視聴者に対して、画面の短軸方向が垂直方向となるように設置されている。
なお、このときの視聴者と画像表示装置１００の距離Ｄは、図８（Ａ），８（Ｂ）のときと同じ距離Ｄｘであるものとする。
図９（Ｂ）で、画像表示装置１００に示されている円形の領域は、視聴者が画面を見た場合の１０度視野領域である。Θが０度から９０度に変化していくにつれて、視聴者から見た画面の垂直方向のサイズＬ２’はＬ２から０へ変化する（小さくなる）。そのため、Θ＞０度の場合、図９（Ｂ）に示すように、視聴者と画像表示装置１００の距離ＤがＤｘであっても、１０度視野領域は画面内に収まらなくなる。そこで、本実施例では、Θに応じて閾値Ｄｔｈを変化させる。
【００４４】
図１０は、上述した内容を踏まえた、距離Ｄ、角度Θ、及び、実行する処理（設定する表示モード）の関係を示した図である。図１０の横軸は距離Ｄであり、縦軸は角度Θである。図１０中の関数は閾値Ｄｔｈを決定するための関数である。図１０に示すように、閾値Ｄｔｈは、角度Θが大きくなるほど小さくなる部分を有する関数を用いて決定される。図１０において、距離Ｄ、角度Θの組み合わせが斜線で示す領域内にあるときには、画像表示装置１００は、忠実再現処理を行う（忠実再現表示モードで画像を表示する）。また、それ以外のときにはアピール処理を行う（アピール表示モードで画像を表示する）。以下、図１０の関数を判断式１と呼ぶ。
【００４５】
図１１（Ａ）は、視聴者と画像表示装置１００を、視聴者の背後から見た図である。
図１１（Ａ）の例では、画像表示装置１００は、視聴者の方向に画面が向くように設置されている。即ち、図１１（Ａ）の例では、角度Θ＝０度の位置に視聴者がいる。このとき、視聴者と画像表示装置１００を、画像表示装置１００の側面側から見た図は、図８（Ａ）とほぼ同等になるが、画像表示装置１００は、視聴者に対して、画面の長軸方向が垂直方向となるように設置されている点が異なる。
図１１（Ａ）で、画像表示装置１００に示されている円形の領域は、視聴者が画面を見た場合の１０度視野領域である。図１１（Ａ）の例では、１０度視野領域は、画像表示装置１００の表示画面内に収まっている。また、１０度視野領域の縁と、画像表示装置１００の表示画面の縁（画面の左辺及び右辺）とが一致している。視聴者が図１１（Ａ）の位置よりも画像表示装置１００に近づくと、１０度視野領域は表示画面内に収まらなくなるため、図１１（Ａ）のときの視聴者と画像表示装置１００の距離Ｄｘが、閾値Ｄｔｈとなる。視聴者が画面の短軸方向が垂直方向となる位置にいる場合、距離Ｄｘは、所定の視野角（１０度）と、表示画面の短軸方向のサイズＬ２によって一意に決まる。
【００４６】
図１１（Ｂ）は、視聴者と画像表示装置１００を、視聴者の背後から見た図である。
図１１（Ｂ）の例では、画像表示装置１００は、視聴者の上に画面が向くように設置されている。即ち、図１１（Ｂ）の例では、角度Θ＝Θｘ（０＜Θｘ≦９０°）の位置に視聴者がいる。また、図１１（Ｂ）の例では、画像表示装置１００は、視聴者に対して、画面の長軸方向が垂直方向となるように設置されている。
なお、このときの視聴者と画像表示装置１００の距離Ｄは、図１１（Ｂ）のときと同じ距離Ｄｘであるものとする。
図１１（Ｂ）で、画像表示装置１００に示されている円形の領域は、視聴者が画面を見た場合の１０度視野領域である。Θが０度から９０度に変化していくにつれて、視聴者から見た画面の垂直方向のサイズＬ１’はＬ１から０へ変化する（小さくなる）。但し、Ｌ１＞Ｌ２であるため、視聴者から見た画面の垂直方向のサイズＬ１’≧Ｌ２である限り、視聴者の１０度視野範囲は、画像表示装置１００の表示画面内に収まる。そのため、０度≦Θ≦（Ｌ１’＝Ｌ２となる角度）の範囲では、閾値Ｄｔｈとして距離Ｄｘを用いることができる。
【００４７】
図１２は、画像表示装置１００が視聴者に対して、画面の長軸方向が垂直方向となるように設置されている場合の、距離Ｄ、角度Θ、及び、実行する処理（設定する表示モード）の関係を示した図である。図１２の横軸は距離Ｄであり、縦軸は角度Θである。図１２中の関数は閾値Ｄｔｈを決定するための関数である。図１０と同様に、閾値Ｄｔｈは、角度Θが大きくなるほど小さくなる部分を有する関数を用いて決定される。但し、上述したように、Ｌ１’≧Ｌ２である限り、視聴者の１０度視野範囲は、画像表示装置１００の表示画面内に収まるため、０度≦Θ≦（Ｌ１’＝Ｌ２となる角度）の範囲では、距離Ｄｘが閾値Ｄｔｈとされる。図１２において、距離Ｄ、角度Θの組み合わせが斜線で示す領域内にあるときには、画像表示装置１００は、忠実再現処理を行う（忠実再現表示モードで画像を表示する）。また、それ以外のときにはアピール処理を行う（アピール表示モードで画像を表示する）。以下、図１２の関数を判断式２と呼ぶ。
【００４８】
図１３は、画像表示装置１００を使用する前に実施される設定処理のフローを示すフローチャートである。この処理フローは、例えば、工場出荷時に工場関係者が行う。
工場関係者は、まず視野範囲（所定の視野角）を決定し、それに基づいて判断式１及び判断式２を作成する（Ｓ２００，Ｓ２０１）。
その後、その判断式１及び判断式２をメモリ部１０９に格納する（Ｓ２０２）。なお、判断式１及び判断式２は、制御プログラムの中に記載されてもよい。
【００４９】
なお、図１３の処理フローは、画像表示装置１００のユーザが実行してもよい。例えば、画像表示装置１００が、視野範囲や判断式の設定を行うためのＧＵＩ画像を表示し、ユーザは該ＧＵＩ画像を操作して視野範囲や判断式を設定してもよい。以下、ユーザが上記設定を行う場合の処理の流れの一例について説明する。
まず、Ｓ２００にて、画像表示装置１００は、視野範囲を選択するためのＧＵＩ画像を表示する。上記ＧＵＩ画像は、ユーザ操作（リモコン等の操作）に応じて表示されてもよいし、画像表示装置の初回起動時に表示されてもよい。そして、ユーザは、上記ＧＵＩ画像を操作することにより、視野範囲を選択する。ＧＵＩ画像は、例えば、２度、４度、１０度、１５度など複数の視野角を選択肢とする画像である。
次に、Ｓ２０１にて、制御部１１０は、Ｓ２００での選択結果と画面サイズ（Ｌ１，Ｌ２）から、判断式１及び判断式２を作成し、メモリ部１０９へ格納する。
【００５０】
図１４は、制御部１１０（表示モード切替判定部１１１）による表示モード切り替え処理のフローを示すフローチャートである。
表示モード切替判定部１１１は、位置認識センサ１１２からのセンサ情報を元に、画像表示装置１００の周囲に視聴者がいるか判定する（Ｓ３００）。視聴者がいる場合は（Ｓ３００：ＹＥＳ）、表示モード切替判定部１１１は、位置認識センサ１１２から位置情報を取得する（Ｓ３０１）。位置情報には、距離Ｄ、角度Θ、及び角度Φが含まれる。視聴者がいない場合は（Ｓ３００：ＮＯ）、表示モード切替判定部１１１は、アピール表示モードを設定する（Ｓ３０６）。具体的には、表示モード切替判定部１１１は、画像処理部１０７内のスイッチ１１７に対して、アピール処理部１１６の出力を選択するよう切替指示を行う。
【００５１】
Ｓ３０１の次に、表示モード切替判定部１１１は、角度Φから、画面と平行な面において、視聴者が画面に対しどの方向にいるかを判定する（方向判定）。具体的には、視聴者が、画面を見た場合に画面の短軸方向が垂直方向となる位置（図８（Ｂ）の状態）にいるか、画面を見た場合に画面の長軸方向が垂直方向となる位置（図１１（Ａ）の状態）にいるか、が判別される。
そして、視聴者が画面に対しどの方向にいるかの判断結果に応じて、閾値Ｄｔｈの決定に用いる関数（判断式）を切り替える（Ｓ３０２）。具体的には、表示モード切替判定部
１１１は、視聴者の位置が図８（Ｂ）の状態の場合には判断式１を選択し、図１１（Ａ）の状態の場合には判断式２を選択する。
ショーケース展示では、視聴者が画像表示装置１００の斜め方向から近づいてくる場合がある。そこで、本実施例では、表示モード切替判定部１１１は、角度Φから、図１５（Ａ）の破線で区切られるどの領域内に視聴者がいるかを判断する。図１５（Ａ）は、画面と平行な面における、視聴者の位置と、選択される判断式との関係の一例を示す図である。そして、表示モード切替判定部１１１は、その判断結果から、視聴者がいる領域に対応する判断式を選択する。即ち、図１５（Ａ）の破線の方向（破線の方向を示す角度Φ）を閾値として、判断式が選択される。図１５（Ａ）の例では、表示モード切替判定部１１１は、画像表示装置１００の画面の対角線とその延長線によって区切られる４つの領域内のどの領域内に視聴者がいるかに応じて、判断式を選択する。
【００５２】
そして、表示モード切替判定部１１１は、角度Φから、視聴者が画面に対して所定の方向にいるか否かを判定する（Ｓ３０３）。
【００５３】
ショーケース展示では、画面に対して所定の方向に店員が常駐している場合がある。そして、客である視聴者が、店員が常駐している側から画像表示装置に近づいてくることは少ない。また、画像表示装置１００に表示された画像は、一般に、店員ではなく客に見せることを目的としている。そのため、店員が見る画像はどのような画像であってもよい（忠実再現表示の画像（第１画像）でもアピール表示の画像（第２画像）でもどちらでもよい）。
【００５４】
そこで、本実施例では、表示モード切替判定部１１１は、視聴者が画面に対して上記所定の方向にいる（視聴者が画面に対して有効方向にいない）と判定した場合には（Ｓ３０３：ＮＯ）、該視聴者を位置認識センサ１１２で検知された人間から除外する。そして、Ｓ３０６へ処理が進められ、アピール表示モードが設定される。図１５（Ｂ）は、画面と平行な面における、視聴者の位置、有効方向、及び無効方向（上記所定の方向）の関係の一例を示す図である。図１５（Ｂ）の例では、画像表示装置１００の画面の対角線とその延長線によって区切られる４つの領域のうちの１つが無効方向の領域として設定されている。視聴者の位置が無効方向の領域内である場合には、該視聴者は、店員である可能性が高いため、位置認識センサ１１２による検知結果から除外される。なお、有効方向や無効方向は、例えば、ユーザにより設定される。具体的には、ユーザは、画像表示装置１００に表示されたＧＵＩ画像を操作することにより有効方向や無効方向を設定する。
【００５５】
視聴者が画面に対して有効方向にいると判定した場合には（Ｓ３０３：ＹＥＳ）、表示モード切替判定部１１１は、Ｓ３０２で選択した判断式に従って、視聴者の所定の視野角の範囲が、画像表示装置１００の表示画面内に収まっているか否か判定する（Ｓ３０４）。
所定の視野角の範囲が画像表示装置１００の表示画面内に収まっている場合は（Ｓ３０４：ＹＥＳ）、表示モード切替判定部１１１は、忠実再現表示モードを設定する（Ｓ３０５）。具体的には、表示モード切替判定部１１１は、画像処理部１０７内のスイッチ１１７に対して、忠実再現処理部１１５からの出力を選択するよう切替指示を行う。
所定の視野角の範囲が画像表示装置１００の表示画面内に収まっていない場合は（Ｓ３０４：ＮＯ）、表示モード切替判定部１１１は、アピール表示モードを設定する（Ｓ３０６）。
Ｓ３０５またはＳ３０６の次に、表示モード切替判定部１１１は、ユーザによる終了指示の有無を確認する（Ｓ３０７）。そして、終了指示が無い場合には、再びＳ３００に戻り、本処理フローが繰り返される。
【００５６】
以上述べたように、本実施例によれば、検知された人間の所定の視野角の範囲が画面内
に収まるか否かに応じて表示モードが切り替えられる。それにより、視聴者に対して好適な表示を行うことが可能となる。具体的には、視聴者が画面を見易い位置にいる場合には、第１表示モード（忠実再現表示モード）で表示が行われるため、視聴者に商品の質感が忠実に再現された画像を見せることができる。そして、視聴者が画面を見難い位置にいる場合には、第２表示モード（アピール表示モード）で表示が行われるため、商品の存在（画像の表示）を視聴者に感知され易くする（アピールする）ことができる。
なお、本実施例では、距離Ｄと、角度Θに依存して変化する閾値Ｄｔｈとを比較して表示モードを決定する構成としたが、このような構成に限らない。例えば、距離Ｄと角度Θから得られる値と所定の閾値（固定値）とを比較して表示モードが決定されてもよい。
【００５７】
なお、本実施例では、画面と平行な面において、検知された人間が画面に対しどの方向にいるかの判定結果に応じて判断式を切り替える構成としたが、そのような判断式の切り替えは行わなくてもよい。但し、上記判断式の切り替えを行えば、１つの判断式を用いる場合よりも、所定の視野角の範囲が画面内に収まるか否かをより精度良く判定することが可能となる。例えば、上述した判断式１のみを用いると、画面の長軸方向が垂直方向となる位置に視聴者がいる場合に、所定の視野角の範囲が画面内に収まっているにもかかわらず、収まっていないと判定されることがある。検知された人間が画面に対しどの方向にいるかの判定結果に応じて判断式を切り替えることにより、そのような誤判定を抑制することができる。
なお、本実施例では、角度Φから、検知された人間が画面に対しどの方向にいるかを判定する構成としたが、この構成に限らない。例えば、検知された人間の、画面と平行な面における位置座標を算出し、その算出結果から上記判定を行ってもよい。
上記判断式の切り替えを行わない場合や検知された人間が画面に対しどの方向にいるかの判定に角度Φを用いない場合には、角度Φは算出されなくてもよい。
【００５８】
なお、本実施例では、検知された人間が画面に対し所定の方向にいる場合には、該人間が検知された人間から除外される構成としたが、そのような除外処理は行わなくてもよい。但し、上記除外処理を行えば、検知された人間から特定の人間（店員など）を除外することができ、より好適に表示モードを切り替えることが可能となる。
なお、本実施例では、検知される人間が１人である場合を例に説明したが、複数の人間が検知されている場合には、上記構成により、検知された複数の人間のうち所定の方向以外の方向にいる人間の所定の視野角の範囲から表示モードが決定される。
【００５９】
なお、本実施例では、所定の視野角の範囲に含まれる画面以外の領域の量に応じて強調処理（アピール処理）の強調度合いを変化させる構成とした。また、所定の視野角の範囲が画面内に収まっている状態から、収まっていない状態へ切り替わる際に、画素値が連続的に変化するように、所定の視野角の範囲に含まれる画面以外の領域の量に応じて、強調処理の強調度合いを変化させる構成とした。しかし、このような構成でなくてもよい。例えば、強調処理の強調度合いは一定であってもよい。そのような構成であってもよい。アピール表示モードのときに、忠実再現表示モードのときよりも、人間に感知され易い画像を表示することができる。
なお、本実施例では、画像表示装置内での処理により第１画像と第２画像が生成されるものとしたが、そのような構成に限らない。第１画像と第２画像は外部から入力されてもよいし、予め画像表示装置内に記憶されていてもよい。
【００６０】
（実施例２）
図１６は、実施例２に係る画像表示装置の用途の一例を示す。図１６の例では、複数の画像表示装置（画像表示装置２００，２００’）がショーケースの中に並べて設置されており、実物の代替として商品の画像を表示する。
図１７は、実施例２に係る画像表示システムの構成図である。本実施例に係る画像表示
システムは、上述した複数の画像表示装置（画像表示装置２００，２００’）を有する。本実施例に係る画像表示装置２００は、同じ機能を有する他の画像表示装置と接続可能である。上記画像表示システムにおいて、画像表示装置２００は、ネットワークＩ／Ｆを介して、同じ機能を有する画像表示装置２００’に接続されている。なお、図１７では、画像表示装置２００が画像表示装置２００’に直接接続されているが、画像表示装置２００は、ハブやルーターを介して画像表示装置２００’に接続されてもよい。
図１８は、実施例２に係る画像表示装置２００の構成図である。
画像表示装置２００は、画像Ｉ／Ｆ部２０２、カードＩ／Ｆ部２０３、ネットワークＩ／Ｆ部２０４、デコード部２０５、切替部２０６、画像処理部２０７、出力部２０８、メモリ部２０９、制御部２１０、表示モード切替判定部２１１、位置認識センサ２１２、視環境センサ２１３、リモコン受信部２１４、及び同期制御部２１５を備える。各機能部は、内部バス２０１によって互いに接続されており、相互にデータを送受信することができる。また、各機能部は、制御部２１０によって制御される。
【００６１】
画像Ｉ／Ｆ部２０２〜リモコン受信部２１４は、画像表示装置１００の画像Ｉ／Ｆ部１０２〜リモコン受信部１１４とそれぞれ同様のため、説明を割愛する。
同期制御部２１５は、接続されている他の画像表示装置（画像表示装置２００’）を認識し、画像表示装置２００’から周期的に、該画像表示装置２００’で算出された距離Ｄと、該画像表示装置２００’の表示モードとを含む情報を取得する。そして、同期制御部２１５は、上記取得した情報から、優先すべき画像表示装置を決定し、その画像表示装置の表示モードを、表示モード切替判定部２１１に通知する。なお、画像表示装置２００’で算出された距離Ｄは、画像表示装置２００’と視聴者との間の距離である。本実施例では、画像表示装置２００で算出された距離Ｄと区別するため、画像表示装置２００’で算出された距離Ｄを距離Ｄ’と記載する。
【００６２】
図１９は、本実施例に係る画像表示装置２００の、他の画像表示装置（画像表示装置２００’）を接続したときの表示モード切り替え処理のフローを示すフローチャートである。なお、以下の処理フローは、画像表示装置２００に接続されている他の画像表示装置にも行われるものとする。
【００６３】
ユーザは、画像表示装置２００に、画像表示装置２００と同じ機能を有する画像表示装置を接続する（Ｓ４００）。本実施例では、画像表示装置２００に画像表示装置２００’が接続される。接続形態は、図１７に示した通りである。
そして、ユーザは、画像表示装置２００に、接続した画像表示装置を登録するとともに、接続した画像表示装置と同期した制御（同期制御）を行わせるか否かを設定する（Ｓ４０１）。本実施例では、画像表示装置２００’が登録され、画像表示装置２００’と同期した制御を行わせるか否かが設定される。ここで、登録とは、接続されている他の画像表示装置のＩＰアドレスなどのネットワーク情報を設定することである。例えば、ユーザは、画像表示装置２００に、上述した登録、設定を行うためのＧＵＩ画像を表示させ、該ＧＵＩ画像を操作することにより、上記登録、設定を行う。
【００６４】
同期制御を行う場合（同期制御オンの場合（Ｓ４０１：ＹＥＳ））、同期制御部２１５は、接続されている他の画像表示装置から、周期的に、距離（画像表示装置と人間との距離）と現在の表示モードとを取得する（Ｓ４０２）。本実施例では、画像表示装置２００’から周期的に、距離Ｄ’と、画像表示装置２００’の現在の表示モードとが取得される。
同期制御を行わない場合（同期制御オフの場合（Ｓ４０１：ＮＯ））、同期制御部２１５は、Ｓ４０７へ進む。Ｓ４０７では、実施例１と同様に表示モードが設定される。
【００６５】
Ｓ４０２の次に、同期制御部２１５は、取得した全ての距離のうちの最小値と、該最小
値を算出した画像表示装置の表示モードとを、表示モード切替判定部２１１に通知する（Ｓ４０３）。即ち、画像表示装置２００が２つ以上の画像表示装置と接続されている場合には、各画像表示装置と人間の間の距離の最小値、及び、該最小値を算出した画像表示装置の表示モードとが表示モード切替判定部２１１に通知される。本実施例では、画像表示装置２００には１つの画像表示装置２００’しか接続されていないため、画像表示装置２００’で算出された距離Ｄ’と画像表示装置２００’の表示モードとが表示モード切替判定部２１１に通知される。
【００６６】
そして、同期制御部２１５は、表示モード切替判定部２１１から距離Ｄと、現在の表示モード（画像表示装置２００の表示モード）とを取得する（Ｓ４０４）。なお、Ｓ４０４の処理は、画像表示装置２００’から距離と表示モードの取得依頼があったときに行われる。
【００６７】
次に、表示モード切替判定部２１１は、現在の画像表示装置２００の距離Ｄと、Ｓ４０３で通知された距離（再最小値）とを比較する（Ｓ４０５）。本実施例では、距離Ｄと距離Ｄ’が比較される。
距離Ｄ＞最小値の場合には（Ｓ４０５：ＹＥＳ）、表示モード切替判定部２１１は、最小値を算出した画像表示装置が優先すべき画像表示装置であると判断し、該最小値を算出した画像表示装置の表示モードを設定する（Ｓ４０６）。本実施例では、距離Ｄ＞距離Ｄ’の場合に、距離Ｄ’に基づいて決定された表示モードが設定される。
距離Ｄ≦最小値の場合には（Ｓ４０５：ＮＯ）、表示モード切替判定部２１１は、自身（画像表示装置２００）が優先すべき画像表示装置であると判断し、距離Ｄに基づいて決定された表示モードを設定する（Ｓ４０７）。即ち、現在の表示モードが維持される。本実施例では、距離Ｄ≦距離Ｄ’の場合に、距離Ｄに基づいて決定された表示モードが設定される。即ち、表示モード切替判定部２１１は、表示モードを、互いに接続されている複数の画像表示装置のうち、画像表示装置との距離が最も小さい人間を検知している画像表示装置の表示モードに設定する。
Ｓ４０６またはＳ４０７の次に、表示モード切替判定部１１１は、ユーザによる終了指示の有無を確認する（Ｓ４０８）。そして、終了指示が無い場合には、再びＳ４０２に戻り、本処理フローが繰り返される。
【００６８】
以上述べたように、本実施例によれば、表示モードが、互いに接続されている複数の画像表示装置のうち、画像表示装置との距離が最も小さい人間を検知している画像表示装置の表示モードに設定される。それにより、視聴者に対して好適な表示を行うことができるとともに、視聴者の違和感を軽減することができる。具体的には、複数の画像表示装置の表示モードが同じにされるため、画像表示装置間で表示モードが異なることによる違和感を無くすことができる。また、画像表示装置との距離が最も小さい人間を検知している画像表示装置の表示モードが設定される。そのため、少なくとも１つの画像表示装置の画面を見易い位置にユーザがいる場合に、忠実再現表示モードで視聴者に商品の質感が忠実に再現された画像を見せることができる。
なお、本実施例では、２つの画像表示装置が互いに接続されている場合を例に説明したが、画像表示装置の数は２つより多くてもよい。
【００６９】
（実施例３）
図２０は、実施例３に係る画像表示装置の用途の一例を示す。本実施例の用途は、実施例１と同様である（実施例２と同様であってもよい）。但し、本実施例では、画像表示装置１００により検知される位置に、複数の視聴者いる。
実施例３に係る画像表示装置の構成は、図２の画像表示装置１００と同様であるため、その説明は割愛する（図１８の画像表示装置２００と同様であってもよい）。
【００７０】
図２１は、位置認識センサ１１２で複数の視聴者が検知された場合の、制御部１１０（表示モード切替判定部１１１）による表示モード切り替え処理のフローを示すフローチャートである。
表示モード切替判定部１１１は、位置認識センサ１１２からのセンサ情報を元に、画像表示装置１００の周囲に視聴者がいるか判定する（Ｓ５００）。視聴者がいる場合は（Ｓ５００：ＹＥＳ）、表示モード切替判定部１１１は、位置認識センサ１１２から位置情報を取得する（Ｓ５０１）。Ｓ５０１では、位置認識センサ１１２で複数の視聴者が検知されている場合には、検知された各視聴者の位置情報が取得される。視聴者がいない場合は（Ｓ５００：ＮＯ）、表示モード切替判定部１１１は、アピール表示モードを設定する（Ｓ５０６）。
【００７１】
Ｓ５０１の次に、表示モード切替判定部１１１は、検知された視聴者から、表示モードを決定する際の基準とする視聴者（基準視聴者）を決定する（Ｓ５０３）。検知されている視聴者が１人の場合には、該視聴者が基準視聴者とされる。複数の視聴者が検知されている場合には、該複数の視聴者の１人が基準視聴者とされる。具体的には、距離Ｄが最も小さい視聴者が基準視聴者とされる。なお、ここでは有効方向にいる視聴者の中から基準視聴者が決定される（Ｓ５０２）。
【００７２】
次に、表示モード切替判定部１１１は、基準視聴者の位置情報から、画面と平行な面において、基準視聴者が画面に対しどの方向にいるかを判定する。
そして、基準視聴者が画面に対しどの方向にいるかの判断結果に応じて、閾値Ｄｔｈの決定に用いる関数（判断式）を切り替える（Ｓ５０３）。
【００７３】
次に、表示モード切替判定部１１１は、Ｓ５０３で選択した判断式に従って、視聴者（基準視聴者）の所定の視野角の範囲が、画像表示装置１００の表示画面内に収まっているか否か判定する（Ｓ５０４）。即ち、本実施例では、位置認識センサ１１２で複数の人間が検知された場合に、距離Ｄが最も小さい人間の所定の視野角の範囲が画面内に収まっているか否かが判定される。
所定の視野角の範囲が画像表示装置１００の表示画面内に収まっている場合は（Ｓ５０４：ＹＥＳ）、表示モード切替判定部１１１は、忠実再現表示モードを設定する（Ｓ５０５）。所定の視野角の範囲が画像表示装置１００の表示画面内に収まっていない場合は（Ｓ５０４：ＮＯ）、表示モード切替判定部１１１は、アピール表示モードを設定する（Ｓ５０６）。
Ｓ５０５またはＳ５０６の次に、表示モード切替判定部１１１は、ユーザによる終了指示の有無を確認する（Ｓ５０７）。そして、終了指示が無い場合には、再びＳ５００に戻り、本処理フローが繰り返される。
【００７４】
以上述べたように、本実施例によれば、画像表示装置の周りに複数の視聴者がいる場合に、該画像表示装置に最も近い視聴者の位置に基づいて表示モードが設定される。それにより、安定した表示が可能となる。具体的には、商品に興味を持った視聴者が商品の質感を確認しているときに、周囲にいる視聴者の数や状況によって表示モードが次々に変化することを防ぎ、安定した表示を行うことができる。
【符号の説明】
【００７５】
１００，２００  画像表示装置
１１０，２１０  制御部
１１１，２１１  表示モード切替判定部
１１２，２１２  位置認識センサ
【図１】
2013041014.tif 000003
【図２】
2013041014.tif 000004
【図３】
2013041014.tif 000005
【図４】
2013041014.tif 000006
【図５】
2013041014.tif 000007
【図６】
2013041014.tif 000008
【図７】
2013041014.tif 000009
【図８】
2013041014.tif 000010
【図９】
2013041014.tif 000011
【図１０】
2013041014.tif 000012
【図１１】
2013041014.tif 000013
【図１２】
2013041014.tif 000014
【図１３】
2013041014.tif 000015
【図１４】
2013041014.tif 000016
【図１５】
2013041014.tif 000017
【図１６】
2013041014.tif 000018
【図１７】
2013041014.tif 000019
【図１８】
2013041014.tif 000020
【図１９】
2013041014.tif 000021
【図２０】
2013041014.tif 000022
【図２１】
2013041014.tif 000023
【図２２】
2013041014.tif 000024